(57)【要約】【課題】コンパクトでありながら、収納するケーブルの品質劣化が小さく、ケーブルの外径寸法の自由度も高い、ケーブルホルダを提供することを目的とする。【解決手段】本発明を適用したケーブルホルダは、ＵＳＢケーブルホルダ１の一側面である上面１ｃに形成され、標準ＵＳＢコネクタ９が嵌入される標準ＵＳＢコネクタ収納凹部１７、ＵＳＢケーブルホルダ１の他側面である下面１ｄに形成され、マイクロＵＳＢコネクタ１０が嵌入されるマイクロＵＳＢコネクタ収納凹部１８、およびＵＳＢコネクタ収納凹部１８から標準ＵＳＢコネクタ収納凹部１７にかけて単一の屈曲部２８が形成されると共に、ＵＳＢケーブル本体８が嵌入されるＵＳＢケーブル本体収納溝部１９が形成されたホルダ本体部３Ａと、ＵＳＢケーブルホルダ１で屈曲部２８と反対側に形成され、リング７を係止可能な係止孔４が形成されたホルダ係止部３Ｂとを備えたものである。【選択図】図１
2016178032.tif 000002
【特許請求の範囲】
【請求項１】
ケーブル本体と、該ケーブル本体の両端のコネクタとを有するケーブルを収納するためのケーブルホルダの一側面に形成され、前記コネクタのうちの一方の第一コネクタが嵌入される第一コネクタ収納凹部、
前記ケーブルホルダの他側面に形成され、前記コネクタのうちの他方の第二コネクタが嵌入される第二コネクタ収納凹部、および
該第二コネクタ収納凹部から前記第一コネクタ収納凹部にかけて単一の屈曲部が形成されると共に、前記ケーブル本体が嵌入されるケーブル収納溝部が形成されたホルダ本体部と、
前記ケーブルホルダで屈曲部と反対側に形成され、所定の部材を係止可能な開口が形成されたホルダ係止部とを備えた
ケーブルホルダ。
【請求項２】
前記第一コネクタ収納凹部、第二コネクタ収納凹部、およびケーブル収納溝部は、前記ケーブルホルダの長手方向の外周線上に配置される
請求項１に記載のケーブルホルダ。
【請求項３】
前記外周線は、前記ケーブルホルダの幅方向略中央に位置する
請求項２に記載のケーブルホルダ。
【請求項４】
前記第一コネクタ収納凹部と第二コネクタ収納凹部の少なくとも一方に、嵌入された前記第一コネクタ、第二コネクタを掻き出すための切り込み部が形成される
請求項１から請求項３のいずれか一項に記載のケーブルホルダ。
【請求項５】
前記屈曲部近傍のケーブル収納溝部で、嵌入された前記ケーブル本体の外側に、幅内方向に相対向して弾性的に突出する弾性片対が形成される
請求項１から請求項４のいずれか一項に記載のケーブルホルダ。
【請求項６】
ケーブル本体と、該ケーブル本体の両端のコネクタを有するケーブルと、
該ケーブルを収納するケーブルホルダの一側面に形成され、前記コネクタのうちの一方の第一コネクタが嵌入される第一コネクタ収納凹部、
前記ケーブルホルダの他側面に形成され、前記コネクタのうちの他方の第二コネクタが嵌入される第二コネクタ収納凹部、および
該第二コネクタ収納凹部から前記第一コネクタ収納凹部にかけて単一の屈曲部が形成されると共に、前記ケーブル本体が嵌入されるケーブル収納溝部が形成されたホルダ本体部と、
前記ケーブルホルダで屈曲部と反対側に形成され、所定の部材を係止可能な開口が形成されたホルダ係止部とを備えた
ケーブル付きケーブルホルダ。
【発明の詳細な説明】
【技術分野】
【０００１】
本発明は、ケーブルホルダおよびケーブル付きケーブルホルダに関する。詳しくは、コンパクトでありながら、収納するケーブルの品質劣化が小さく、ケーブルの外径寸法の自由度も高いケーブルホルダと、容易に携帯した外出先で、様々な携帯電子機器と他装置との接続をケーブルによって安定かつ確実に行えるケーブル付きケーブルホルダとに係わるものである。
【背景技術】
【０００２】
携帯型音楽プレーヤや、多機能携帯電話であるスマートフォン等の携帯電子機器の普及に伴い、携帯電子機器を充電したり、携帯電子機器をパソコンに接続してデータを送受信するために、外出時にＵＳＢ（Ｕｎｉｖｅｒｓａｌ  Ｓｅｒｉａｌ  Ｂｕｓ）ケーブル等の種々のケーブルを携帯する機会が増えてきている。そして、この携帯用のケーブルは、その長さが長いと、移動中や使用時に絡まり合ったり、携帯電子機器をモバイルバッテリに重ねて充電する際に邪魔になって扱いづらいため、短いケーブル（以下、「短ケーブル」とする）を容易に携帯可能にする技術が求められている。
【０００３】
これに対し、従来より、コネクタを有する長いケーブルを、短円柱状のケーブルホルダに複数回巻回して保持するようにして携帯する技術が公知となっている（例えば、特許文献１参照）。
【０００４】
また、携帯電子機器をカーオーディオ等の車載電子機器に接続するため、コネクタを有するケーブルを、車室内に固定した板状の固定式ケーブルホルダの収納溝と収納凹部に嵌入することによって保持する技術も公知となっている（例えば、特許文献２参照）。
【先行技術文献】
【特許文献】
【０００５】
【特許文献１】特開２０００−３５３４３４号公報
【特許文献２】特開２０１１−５９４４号公報
【発明の概要】
【発明が解決しようとする課題】
【０００６】
しかしながら、特許文献１に記載されたケーブルホルダでは、短ケーブルを複数回巻回して保持できるようにするには、ケーブルホルダにおける被巻回部の径を小さくする必要がある。このため、ケーブルホルダへのケーブル本体の巻回半径が極めて小さくなり、巻回して収納可能なケーブル本体の最大径が著しく制限されると共に、ケーブル本体が全体にわたって顕著に変形し、ケーブル品質が大きく劣化するおそれがある。
【０００７】
更に、自動車や玄関のキーを付けたリング等を開口に係止するホルダ係止部をケーブルホルダに設ける場合、短ケーブルが巻回されていない上下の底面にしかホルダ係止部を設けることができない。このため、底面から軸方向外側に突き出た突出部等にホルダ係止部を設けることとなり、短ケーブルであってもケーブルホルダのサイズが大きくなる。
【０００８】
また、特許文献２に記載されたケーブルホルダは、固定式から可搬式に変更することで、短ケーブルをケーブルホルダと一緒に携帯できるものの、ケーブルはケーブルホルダの一側面のみの上に直線状に配置されている。このため、ケーブル長に比例してホルダ長も延長する必要があり、短ケーブルであってもケーブルホルダのサイズが大きくなる。
【０００９】
更に、コネクタ収納凹部に嵌入したコネクタを取り外すのに、複雑な押し出し装置が設けられている。このため、部品点数が多くなり、部品コストが増加し、メンテナンス性も悪化する。
【００１０】
本発明は、以上の点に鑑みて創案されたものであり、コンパクトでありながら、収納するケーブルの品質劣化が小さく、ケーブルの外径寸法の自由度も高いケーブルホルダと、容易に携帯した外出先で、様々な携帯電子機器と他装置との接続をケーブルによって安定かつ確実に行えるケーブル付きケーブルホルダとを提供することを目的とする。
【課題を解決するための手段】
【００１１】
上記の目的を達成するために、本発明のケーブルホルダは、ケーブル本体と、該ケーブル本体の両端のコネクタとを有するケーブルを収納するためのケーブルホルダの一側面に形成され、前記コネクタのうちの一方の第一コネクタが嵌入される第一コネクタ収納凹部、前記ケーブルホルダの他側面に形成され、前記コネクタのうちの他方の第二コネクタが嵌入される第二コネクタ収納凹部、および該第二コネクタ収納凹部から前記第一コネクタ収納凹部にかけて単一の屈曲部が形成されると共に、前記ケーブル本体が嵌入されるケーブル収納溝部が形成されたホルダ本体部と、前記ケーブルホルダで屈曲部と反対側に形成され、所定の部材を係止可能な開口が形成されたホルダ係止部とを備えている。
【００１２】
そして、ケーブルホルダの一側面に形成され、コネクタのうちの一方の第一コネクタが嵌入される第一コネクタ収納凹部と、ケーブルホルダの他側面に形成され、コネクタのうちの他方の第二コネクタが嵌入される第二コネクタ収納凹部とが、ホルダ本体部に形成されることによって、ケーブルホルダのサイズを小さくすることができる。すなわち、第一コネクタと第二コネクタ間を接続するケーブル本体が、ケーブルホルダの両側面に跨るようにして配置されるため、ケーブルホルダの両側面を使ってケーブルが配置されることになり、ケーブルホルダでケーブルを配置するホルダ本体部の長さを短くすることができる。
【００１３】
更に、第二コネクタ収納凹部から第一コネクタ収納凹部にかけて単一の屈曲部が形成されると共に、ケーブル本体が嵌入されるケーブル収納溝部が、ホルダ本体部に形成されることによって、ケーブルホルダに収納可能なケーブル本体の外形寸法を拡大できると共に、ケーブル品質の劣化を抑制することができ、更には、部品コストの低減やメンテナンス性の向上も図ることができる。すなわち、ケーブル収納時には、ケーブル本体が一カ所だけで屈曲されることになり、ケーブル本体が少々太くても曲げてケーブル収納溝部に嵌入することができると共に、ケーブル本体が全体にわたって顕著に変形することがない。更に、ケーブル本体が弾性を有する場合、ケーブル収納時には、ケーブル本体で屈曲部に当接する部分を中心にして、第一コネクタと第二コネクタが、それぞれ第一コネクタ収納凹部と第二コネクタ収納凹部から離間する方向に、弾性力によって付勢されることになり、コネクタを外に押し出すための複雑な押し出し装置を不要にして、部品点数を減少させることができる。
【００１４】
加えて、ケーブルホルダで屈曲部と反対側に形成され、所定の部材を係止可能な開口がホルダ係止部に形成されることによって、ケーブルホルダのサイズを一層小さくすることができる。すなわち、ケーブルホルダで屈曲部と反対側の部分を利用して開口が形成されることになり、開口形成のためのステー等の部分を省くことができる。
【００１５】
また、第一コネクタ収納凹部、第二コネクタ収納凹部、およびケーブル収納溝部が、ケーブルホルダの長手方向の外周線上に配置される場合には、第一コネクタ収納凹部、第二コネクタ収納凹部、およびケーブル収納溝部が長手方向以外の方向、例えば、長手方向と直交する幅方向の外周線上に配置されたものに比べ、ケーブルホルダの幅を狭くすることができる。これにより、ケーブルホルダを把持しやすい細長い形状に形成し、携帯性を向上させることができる。
【００１６】
また、ケーブルホルダの長手方向の外周線が、ケーブルホルダの幅方向略中央に位置する場合には、第一コネクタ収納凹部、第二コネクタ収納凹部、およびケーブル収納溝部が左右略対称となり、ケーブルホルダの重心の幅方向への偏位を最小限に抑えることができる。これにより、ケーブルホルダが幅方向に転がって紛失するのを防止することができる。
【００１７】
また、第一コネクタ収納凹部と第二コネクタ収納凹部の少なくとも一方に、嵌入された第一コネクタ、第二コネクタを掻き出すための切り込み部が形成される場合には、切り込み部に爪や鉤状部材を掛合し、第一コネクタ、第二コネクタを、それぞれ第一コネクタ収納凹部、第二コネクタ収納凹部から離間する方向に、容易に引き出すことができる。これにより、ケーブル本体の弾性力が十分に大きくなくても、第一コネクタと第二コネクタを確実に取り外すことができる。
【００１８】
また、第二コネクタ収納凹部から第一コネクタ収納凹部にかけて形成された単一の屈曲部近傍のケーブル収納溝部で、嵌入されたケーブル本体の外側に、幅内方向に相対向して弾性的に突出する弾性片対が形成される場合には、弾性片対とケーブル収納溝部との間にケーブル本体が挟持されることとなり、ケーブル収納溝部からのケーブルの脱落を防止することができると共に、ケーブル本体の長手方向略中央部を支持し、ケーブル本体の弾性力を第一コネクタと第二コネクタに有効に作用させ、第一コネクタと第二コネクタを一層確実に取り外すことができる。
【００１９】
また、本発明のケーブル付きケーブルホルダは、ケーブル本体と、該ケーブル本体の両端のコネクタを有するケーブルと、該ケーブルを収納するケーブルホルダの一側面に形成され、前記コネクタのうちの一方の第一コネクタが嵌入される第一コネクタ収納凹部、前記ケーブルホルダの他側面に形成され、前記コネクタのうちの他方の第二コネクタが嵌入される第二コネクタ収納凹部、および該第二コネクタ収納凹部から前記第一コネクタ収納凹部にかけて単一の屈曲部が形成されると共に、前記ケーブル本体が嵌入されるケーブル収納溝部が形成されたホルダ本体部と、前記ケーブルホルダで屈曲部と反対側に形成され、所定の部材を係止可能な開口が形成されたホルダ係止部とを備えている。
【００２０】
これにより、コンパクトでありながら、収納するケーブルの品質劣化が小さく、ケーブルの外径寸法の自由度も高いケーブルホルダに、両端にコネクタを有するケーブルを収納することができる。従って、様々な外径寸法のケーブルを、品質を維持したまま外出先に容易に携帯していき、様々な携帯電子機器とモバイルバッテリあるいはパソコンとの間を、安定かつ確実に接続することができる。
【発明の効果】
【００２１】
本発明に係わるケーブルホルダは、コンパクトでありながら、収納するケーブルの品質劣化が小さく、ケーブルの外径寸法の自由度も高いものとなっている。
また、本発明に係わるケーブル付きケーブルホルダは、容易に携帯した外出先で、様々な携帯電子機器と他装置との接続をケーブルによって安定かつ確実に行えるものとなっている。
【図面の簡単な説明】
【００２２】
【図１】本発明に係わるケーブルホルダの全体構成を示す斜視図である。
【図２】ケーブルホルダに収納するケーブルの斜視図である。
【図３】ケーブルホルダの平面図であって、図３（ａ）はケーブルを収納した状態の平面図、図３（ｂ）はケーブルを脱着した状態の平面図である。
【図４】同じく底面図であって、図４（ａ）はケーブルを収納した状態の底面図、図４（ｂ）はケーブルを脱着した状態の底面図である。
【図５】図３（ａ）の断面図であって、図５（ａ）は図３（ａ）のＡ−Ａ矢視断面図、図５（ｂ）は図３（ａ）のＢ−Ｂ矢視断面図である。
【図６】別形態のケーブルの斜視図である。
【図７】別形態のケーブルを収納するケーブルホルダの底面図であって、図７（ａ）はケーブルを収納した状態の底面図、図７（ｂ）はケーブルを脱着した状態の底面図である。
【発明を実施するための形態】
【００２３】
以下、ケーブルホルダに関する本発明の実施の形態について、図面を参照しながら説明し、本発明の理解に供する。
なお、図１の矢印Ｆで示す方向を前方とし、矢印Ｔで示す方向を上方とし、以下で述べる各部の位置や方向等はこの前方と上方を基準とするものである。
【００２４】
まず、本発明を適用したケーブルホルダの一例であるＵＳＢケーブルホルダ１の全体構成について、図１、図２により説明する。
【００２５】
図１に示すように、ＵＳＢケーブルホルダ１は、上下面が略扁平で前後方向に長い卵形状を有する熱可塑性樹脂等の弾性体であって、長手方向で幅方向略中央に位置する最大径の縦断面１ａの外周線１ａ１上に、ＵＳＢケーブル２を収納する収納部５が凹設されたホルダ本体部３Ａと、収納部５が形成されていない前端で係止孔４が上下方向に穿孔されたホルダ係止部３Ｂとを備えている。
【００２６】
これにより、収納部５を長手方向以外の方向、例えば幅方向に配置した場合に比べ、ＵＳＢケーブルホルダ１の幅を減少させて細長くし、携帯性を向上させることができる。
【００２７】
更に、収納部５を配置する外周線１ａ１が幅方向略中央に位置するので、収納部５が左右略対称となって幅方向への重心偏位を最小限に抑えることができ、ＵＳＢケーブルホルダ１を幅方向に転がりにくくして紛失を防止できるようにしている。
【００２８】
そして、係止孔４に、自動車や玄関等のキー６を取り付けたリング７を挿通して係止し、キー６を、ＵＳＢケーブル２を収納したＵＳＢケーブルホルダ１と一緒に携帯できるようにしている。
【００２９】
図２に示すように、ＵＳＢケーブル２は、ＵＳＢケーブル本体８と、ＵＳＢケーブル本体８の前端に接続される標準ＵＳＢコネクタ９と、ＵＳＢケーブル本体８の後端に接続されるマイクロＵＳＢコネクタ１０とから構成される。
【００３０】
標準ＵＳＢコネクタ９は、ＵＳＢケーブル本体８の導体配線８ａに接続される端子１５と、端子１５を覆う平たい角パイプ状のコネクタハウジング１１と、端子１５と導体配線８ａとの接合部を覆ってＵＳＢケーブル本体８に一体的に成形される樹脂製のモールド部材１２とから構成される。
【００３１】
そして、モールド部材１２は、コネクタハウジング１１の後端に外嵌結合される角パイプ状のモールド本体部１２ａに、ＵＳＢケーブル本体８の前端に外嵌結合されると共にモールド本体部１２ａの左右幅よりも小径で筒状の基部１２ｂが連設して形成されている。
【００３２】
マイクロＵＳＢコネクタ１０も同様に、ＵＳＢケーブル本体８の導体配線８ａに接続される端子１６と、端子１６を覆う台形パイプ状のコネクタハウジング１３と、端子１６と導体配線８ａとの接合部を覆ってＵＳＢケーブル本体８に一体的に成形される樹脂製のモールド部材１４とから構成される。
【００３３】
そして、モールド部材１４は、コネクタハウジング１１の前端に外嵌結合される楕円パイプ状のモールド本体部１４ａに、ＵＳＢケーブル本体８の後端に外嵌結合されると共にモールド本体部１４ａの左右幅よりも小径で筒状の基部１４ｂが連設して形成されている。
【００３４】
ここで、マイクロＵＳＢコネクタ１０の基部１４ｂは、標準ＵＳＢコネクタ９の基部１２ｂと略同一の形状とサイズであるが、マイクロＵＳＢコネクタ１０のモールド本体部１４ａは、標準ＵＳＢコネクタ９のモールド本体部１２ａに比べ、左右幅、上下厚ともに小さく構成されており、本実施例のＵＳＢケーブル２は、異なる規格と形状の端子間を接続するものである。
【００３５】
なお、ＵＳＢケーブルは、ＵＳＢケーブル本体８の両端に、共通の規格と形状のコネクタを接続したものであってもよく、このようなＵＳＢケーブルも、本実施例の収納部５の大きさと形状を変更することで、容易に対応することができる。
【００３６】
次に、係止孔４、収納部５について、図１、図３乃至図５により詳細に説明する。
【００３７】
図１に示すように、係止孔４は、縦断面１ａに垂直な後壁面４ａと、平面視で後方に開いたＵ字状の前壁面４ｂとによって構成される。
【００３８】
これにより、キー６を把持して使用する際、キー６に取り付けたリング７に垂下されるＵＳＢケーブルホルダ１を、前壁面４ｂの前端屈曲部分４ｂ１に安定して保持させることができ、施錠と解錠時のＵＳＢケーブルホルダ１による干渉を軽減し、キー６による施錠と解錠の操作性を高めることができる。
【００３９】
図５に示すように、収納部５は、ＵＳＢケーブル２のうち、標準ＵＳＢコネクタ９が嵌入される標準ＵＳＢコネクタ収納凹部１７と、マイクロＵＳＢコネクタ１０が嵌入されるマイクロＵＳＢコネクタ収納凹部１８と、標準ＵＳＢコネクタ収納凹部１７からマイクロＵＳＢコネクタ収納凹部１８にかけて形成されるＵＳＢケーブル本体収納溝部１９とから構成される。
【００４０】
図１、図３、図５に示すように、このうちの標準ＵＳＢコネクタ収納凹部１７は、ＵＳＢケーブルホルダ１の上面１ｃに凹設されており、前から順に、コネクタハウジング１１が嵌入される上面第一凹部２０と、モールド本体部１２ａが嵌入される上面第二凹部２１と、基部１２ｂが嵌入される上面第三凹部２２とから構成される。
【００４１】
上面第一凹部２０において、コネクタハウジング１１の前半部の左右側面が当接する側壁からは、弾性を有する一対の弾性片２０ａ・２０ａが、幅内方向に相対向して突出されている。
【００４２】
これにより、嵌入されたコネクタハウジング１１が、弾性片２０ａ・２０ａによって弾性的に挟持されるため、携帯時であっても上面第一凹部２０からは脱落しにくくしている。
【００４３】
一方、コネクタハウジング１１の前面には、開放された前面開口１１ａが形成され、前面開口１１ａより前方には、側面断面視で上に開いた弧状の上面係止部２６が、上面第一凹部２０に連設されている。
【００４４】
これにより、爪や鉤状部材の先端を、上面係止部２６から前面開口１１ａにかけて挿入し掛合した状態で、上方に引き上げることにより、弾性片２０ａ・２０ａによって弾性的に挟持されているコネクタハウジング１１、つまり標準ＵＳＢコネクタ９を弾性力に抗して確実に引き出せるようにしている。
【００４５】
図１、図４、図５に示すように、マイクロＵＳＢコネクタ収納凹部１８は、ＵＳＢケーブルホルダ１で上面１ｃの他側面である下面１ｄに凹設されており、前から順に、コネクタハウジング１３が嵌入される下面第一凹部２３と、モールド本体部１４ａが嵌入される下面第二凹部２４と、基部１４ｂが嵌入される下面第三凹部２５とから構成される。
【００４６】
下面第二凹部２４において、モールド本体部１４ａの前後略中央部の左右側面が当接する側壁からは、弾性を有する一対の弾性片２４ａ・２４ａが、幅内方向に相対向して突出されている。
【００４７】
これにより、嵌入されたモールド本体部１４ａが、弾性片２４ａ・２４ａによって弾性的に挟持されるため、携帯時であっても下面第二凹部２４からは脱落しにくくしている。
【００４８】
一方、コネクタハウジング１３の前面にも、開放された前面開口１３ａが形成され、前面開口１３ａより前方には、側面断面視で下に開いた弧状の下面係止部２７が、下面第一凹部２３に連設されている。
【００４９】
これにより、爪や鉤状部材の先端を、下面係止部２７から前面開口１３ａにかけて挿入し掛合した状態で、下方に引き下げることにより、弾性片２４ａ・２４ａによって弾性的に挟持されているモールド本体部１４ａ、つまりマイクロＵＳＢコネクタ１０を弾性力に抗して確実に引き出せるようにしている。
【００５０】
なお、本実施例では、弾性片２０ａ・２０ａや弾性片２４ａ・２４ａによって、標準ＵＳＢコネクタ９やマイクロＵＳＢコネクタ１０を弾性的に挟持することで、携帯時であっても収納部５からＵＳＢケーブル８が脱落しにくくしているが、ＵＳＢケーブル８と収納部５との間の各隙間を調整する等してＵＳＢケーブル８が挟持されるようにしてもよく、脱落防止の手段は、特に限定されるものではない。
【００５１】
図３乃至図５に示すように、ＵＳＢケーブル本体収納溝部１９は、標準ＵＳＢコネクタ収納凹部１７の上面第三凹部２２の後端と、マイクロＵＳＢコネクタ収納凹部１８の下面第三凹部２５の後端との間で、外周線１ａ１に沿って溝状に形成されている。
【００５２】
そして、ＵＳＢケーブル本体収納溝部１９には、ＵＳＢケーブル本体８が、ＵＳＢケーブルホルダ１の上面１ｃと下面１ｄに跨るように配置されている。
【００５３】
これにより、ＵＳＢケーブル本体８を、ＵＳＢケーブルホルダ１の両側面を使って配置することができる
【００５４】
ＵＳＢケーブル本体収納溝部１９の途中部でＵＳＢケーブルホルダ１の後端には、前方に開いた側面視Ｕ字状で単一の屈曲部２８が形成されている。
【００５５】
これにより、屈曲部２８は、ＵＳＢケーブル本体８が一カ所だけで屈曲されるようにしている。
【００５６】
更に、ＵＳＢケーブル本体８が弾性を有する場合、ＵＳＢケーブル２収納時には、ＵＳＢケーブル本体８で屈曲部２８に当接する当接部８ｂを中心として、標準ＵＳＢコネクタ９とマイクロＵＳＢコネクタ１０が、それぞれ標準ＵＳＢコネクタ収納凹部１７とマイクロＵＳＢコネクタ収納凹部１８から離間する方向に、弾性力によって付勢される。
【００５７】
加えて、ＵＳＢケーブルホルダ１で屈曲部２８と反対側に、前述した係止孔４が形成されている。
【００５８】
これにより、屈曲部２８と反対側にあるホルダ係止部３Ｂを利用するだけで、係止孔４を容易に形成できるようにしている。
【００５９】
更に、屈曲部２８近傍のＵＳＢケーブル本体収納溝部１９で、嵌入されたＵＳＢケーブル本体８よりも後方の側壁からは、弾性を有する一対の弾性片１ｂ・１ｂが、幅内方向に相対向して突出されている。
【００６０】
これにより、弾性片１ｂ・１ｂとＵＳＢケーブル本体収納溝部１９との間に、ＵＳＢケーブル本体８が挟持されると共に、ＵＳＢケーブル本体８の長手方向略中央にある当接部８ｂを支持し、ＵＳＢケーブル本体８の弾性力を標準ＵＳＢコネクタ９とマイクロＵＳＢコネクタ１０に有効に作用させることができる。
【００６１】
次に、別形態のＵＳＢケーブル４２と、それを収納するＵＳＢケーブルホルダ４１について、図２、図４、図６、図７により説明する。
図６に示すＵＳＢケーブル４２は、ＵＳＢケーブル２におけるマイクロＵＳＢコネクタ１０をマイクロＵＳＢコネクタ５０に変更することにより、マイクロＵＳＢコネクタ１０の場合と異なる規格と形状の端子への対応を可能にしたものである。
【００６２】
図２、図６に示すように、マイクロＵＳＢコネクタ５０も、マイクロＵＳＢコネクタ１０と同様に、ＵＳＢケーブル本体８の導体配線８ａに接続される端子５６と、端子５６と導体配線８ａとの接合部を覆ってＵＳＢケーブル本体８に一体的に成形される樹脂製のモールド部材５４とを備える。
【００６３】
しかし、このうちの端子５６は、コネクタハウジング１３とは異なる板状のコネクタプレート５３の上下両面に、覆われることなく外部に露出した状態で貼設されると共に、コネクタプレート５３は、コネクタハウジング１３より幅狭に形成されている。
【００６４】
なお、モールド部材５４については、モールド部材１４と同様に、コネクタプレート５３の前端に外嵌結合される楕円パイプ状のモールド本体部５４ａに、ＵＳＢケーブル本体８の後端に外嵌結合されると共にモールド本体部５４ａの左右幅よりも小径で筒状の基部５４ｂが連設して形成されている。
【００６５】
また、図４、図７に示すように、ＵＳＢケーブルホルダ４１も、ＵＳＢケーブルホルダ１と同様に、上下面が略扁平で前後方向に長い卵形状を有する熱可塑性樹脂等の弾性体であって、長手方向で幅方向略中央に位置する最大径の縦断面の外周線４１ａ１上に、ＵＳＢケーブル４２を収納する収納部４５が凹設されたホルダ本体部４３Ａと、収納部４５が形成されていない前端で係止孔４が上下方向に穿孔されたホルダ係止部４３Ｂとを備えている。
【００６６】
収納部４５も、収納部５と同様に、ＵＳＢケーブル４２のうち、標準ＵＳＢコネクタ９が嵌入される標準ＵＳＢコネクタ収納凹部１７と、マイクロＵＳＢコネクタ５０が嵌入されるマイクロＵＳＢコネクタ収納凹部５８と、標準ＵＳＢコネクタ収納凹部１７からマイクロＵＳＢコネクタ収納凹部５８にかけて形成されるＵＳＢケーブル本体収納溝部１９とから構成される。このうちの標準ＵＳＢコネクタ収納凹部１７とＵＳＢケーブル本体収納溝部１９については、収納部５と同じなので説明は省略する。
【００６７】
マイクロＵＳＢコネクタ収納凹部５８も、マイクロＵＳＢコネクタ収納凹部１８と同様に、ＵＳＢケーブルホルダ４１で下面４１ｄに凹設されており、前から順に、コネクタプレート５３が嵌入される下面第一凹部６３と、モールド本体部５４ａが嵌入される下面第二凹部６４と、基部５４ｂが嵌入される下面第三凹部６５とから構成される。
【００６８】
しかしながら、このうちの下面第二凹部６４の側壁からは、弾性片２４ａ・２４ａのような挟持体は突出されておらず、ＵＳＢケーブルホルダ４１の構造を簡素化し、製造コストの低減やメンテナンス性の向上が図れるようにしている。
【００６９】
なお、コネクタプレート５３の前方にも、側面断面視で下に開いた弧状の下面係止部２７が、下面第一凹部６３に連設されている。
【００７０】
これにより、爪や鉤状部材の先端を、下面係止部２７からコネクタプレート５３の下方にかけて挿入し掛合した状態で、下方に引き下げることにより、モールド本体部５４ａ、つまりマイクロＵＳＢコネクタ５０を確実に引き出せるようにしている。
【００７１】
以上のように、本発明を適用したケーブルホルダは、コンパクトでありながら、収納するケーブルの品質劣化が小さく、ケーブルの外径寸法の自由度も高いものとなっている。
また、本発明を適用したケーブル付きケーブルホルダは、容易に携帯した外出先で、様々な携帯電子機器と他装置との接続をケーブルによって安定かつ確実に行えるものとなっている。
【符号の説明】
【００７２】
１  ＵＳＢケーブルホルダ
１ａ１  外周線
１ｂ  弾性片
１ｃ  上面
１ｄ  下面
２  ＵＳＢケーブル
３Ａ  ホルダ本体部
３Ｂ  ホルダ係止部
４  係止孔
８  ＵＳＢケーブル本体
９  標準ＵＳＢコネクタ
１０  マイクロＵＳＢコネクタ
１７  標準ＵＳＢコネクタ収納凹部
１８  マイクロＵＳＢコネクタ収納凹部
１９  ＵＳＢケーブル本体収納溝部
２６  上面切り込み部
２７  下面切り込み部
２８  屈曲部
【図１】
2016178032.tif 000003
【図２】
2016178032.tif 000004
【図３】
2016178032.tif 000005
【図４】
2016178032.tif 000006
【図５】
2016178032.tif 000007
【図６】
2016178032.tif 000008
【図７】
2016178032.tif 000009